(57)【要約】【課題】繰り出し位置と収納位置との間で伸縮可能の撮影レンズ鏡筒とカメラ本体との間の電力供給のためのＦＰＣを廃止する。【解決手段】電源２０により動作する第１の電気回路１３が設けられたカメラ本体１１と、収納位置と繰り出し位置との間で伸縮可能の撮影レンズ鏡胴１２とを備えるカメラ１０。撮影レンズ鏡筒１２には２次電池２５により動作する第２の電気回路１８が設けられ、該第２の電気回路１８には２次電池２５を充電するための、撮影レンズ鏡胴１２の伸縮に応じて変位する受電端子ａ、ａが設けられている。第１の電気回路１３には撮影レンズ鏡胴１２が収納位置にあるとき受電端子ａ、ａに接触する給電端子ｂ、ｂが設けられている。２次電池２５は、両端子ａ、ａおよびｂ、ｂの接触により、カメラ本体１１の電源２０の電力で２次電池２５が充電される。【選択図】　図１
2004133000.tif 000002
【特許請求の範囲】
【請求項１】
電源を有し該電源により動作する第１の電気回路が設けられたカメラ本体と、２次電池を有し該２次電池により動作する第２の電気回路が設けられ、前記カメラ本体への収納位置と該カメラ本体からの繰り出し位置との間で伸縮可能の撮影レンズ鏡胴とを備えるカメラであって、前記第２の電気回路には、前記２次電池を充電するための、前記撮影レンズ鏡胴の伸縮に応じて変位する受電端子が設けられ、前記第１の電気回路には、前記撮影レンズ鏡胴が前記収納位置にあるとき前記カメラ本体の前記電源の電力で前記２次電池を充電可能とすべく前記受電端子に接触する給電端子が設けられていることを特徴とするカメラ。
【請求項２】
前記第１の電気回路にはカメラ本体制御部が設けられ、前記第２の電気回路には、前記撮影レンズ鏡胴に設けられた動作部の動作を制御する第２の制御部が設けられ、また前記第１および第２の電気回路のそれぞれには、前記カメラ本体制御部から前記第２の制御部を介して前記動作部を操作するための制御信号を通信する無線通信部が設けられている請求項１記載のカメラ。
【請求項３】
前記撮影レンズ鏡筒には前記動作部としてシャッタが組み込まれ、前記第２の電気回路には前記シャッタを動作させるためのシャッタ駆動部が設けられ、前記カメラ本体制御部からのシャッタ制御信号が前記無線通信部を経て前記第２の制御部に伝えられると、該第２の制御部が前記シャッタ駆動部を介して前記シャッタを動作させる請求項２記載のカメラ。
【請求項４】
前記両無線通信部は相互の交信が可能であり、前記第２の電気回路には、該第２の電気回路に設けられた前記２次電池の電圧を検出するバッテリチェック回路部が設けられ、該バッテリチェック回路部により検出される電圧が所定の値以下になったとき、前記第２の電気回路から前記無線通信部を経て前記カメラ本体制御部に警告信号が伝えられる請求項２または３に記載のカメラ。
【請求項５】
前記カメラ本体制御部が前記警告信号を受けると、前記２次電池の充電のために前記撮影レンズ鏡胴が収納位置に収納される請求項４記載のカメラ。
【請求項６】
前記第１の電気回路に関連して撮影の開始を指示する制御信号を出力するためのレリーズ手段が設けられており、該レリーズ手段が操作されたとき前記カメラ本体制御部から前記シャッタ制御信号が出力され、前記第２の制御部は、前記無線通信部を経て前記シャッタ制御信号を受けたとき、予め設定されたシーケンスに従って前記シャッタを動作させる請求項３記載のカメラ。
【請求項７】
前記第２の電気回路には前記動作部として測光回路部が設けられ、前記カメラ本体制御部は、撮影開始を指示する前記制御信号の出力後測光の開始を指示する測光開始制御信号を出力し、前記第２の制御部が前記通信部を経て前記測光開始制御信号を受けると、前記測光回路部は被写体輝度の測定を開始する請求項６に記載のカメラ。
【請求項８】
前記両無線通信部は、光を媒体とする光通信で前記制御信号を通信する請求項２ないし７のいずれか一項に記載のカメラ。
【請求項９】
前記両無線通信部は、電波を媒体とする電波通信で前記制御信号を通信する請求項２ないし７のいずれか一項に記載のカメラ。
【発明の詳細な説明】
【０００１】
【発明の属する技術分野】
本発明は、カメラ本体と、該カメラ本体から突出する繰り出し位置とカメラ本体への収容位置との間で伸縮可能の撮影レンズ鏡胴とを有するカメラに関する。
【０００２】
【従来の技術】
この種のカメラでは、レンズ鏡胴の伸縮に応じて該レンズ鏡胴内を光軸に沿って移動する回路基板上のレンズ鏡筒側電気回路と、カメラ本体の固定回路基板上の本体側電気回路とを接続するために、伸縮可能の可撓性プリント配線（以下、ＦＰＣと称する。）が用いられている。レンズ鏡筒側の前記電気回路には、例えばレンズシャッタ駆動部や測光回路部等が設けられている。カメラ本体側の前記電気回路に設けられたカメラ本体制御部からの制御信号が前記ＦＰＣを経てレンズ鏡筒側の前記電気回路に供給されることにより、レンズシャッタ駆動部あるいは測光回路部は前記カメラ本体制御部の制御を受ける。また、レンズシャッタ駆動部あるいは測光回路部を動作させるための駆動電流が前記ＦＰＣを経てカメラ本体側からレンズ鏡筒側の電気回路に供給される。
【０００３】
ところで、レンズ鏡筒側の電気回路とカメラ本体側の電気回路との間を接続するＦＰＣが撮影光路からの光を反射するとフレアの原因となり、またこのＦＰＣが撮影光路内に侵入すると「けられ」の原因となる。
【０００４】
そこで、ＦＰＣが撮影光路内に侵入することを防止するために、ＦＰＣの折り曲げ方に工夫を凝らすことが提案されている（例えば、特許文献１参照。）。
【０００５】
また、ＦＰＣからの光反射を防止するために、ＦＰＣに反射防止膜を形成することが提案されている（例えば、特許文献２参照。）。
【０００６】
また、レンズ鏡筒の収納位置への繰り込みにより生じるＦＰＣの弛みが撮影光路内に侵入することを防止するために、レンズ鏡筒の一部にＦＰＣの弛みを吸収するたわみ部を形成することが提案されている（例えば、特許文献３参照。）。
【０００７】
さらに、カメラの各部をユニット化し、ユニット化されたカメラ本体のパトローネ室ユニットとスプール室ユニットとにＣＰＵを配置し、両ＣＰＵをＦＰＣで相互に接続することにより、スペースの有効利用を可能にすることが提案されている（例えば、特許文献４参照。）。
【０００８】
【特許文献１】
実公平７−３３２２３号公報
【特許文献２】
実用新案登録第２５３１７０５号公報
【特許文献３】
特開２０００−１４７３５５号公報
【特許文献４】
特開２００１−４２４０２号公報
【０００９】
【発明が解決しようとする課題】
しかしながら、これらの従来技術は、いずれも伸縮可能の撮影レンズ鏡筒とカメラ本体との間のＦＰＣを廃止し得るものではない。そのため、ＦＰＣの折り曲げ癖が付けられた腰部を伸ばすときの負荷の増大、ＦＰＣを通す部分での遮光性の確保という問題があった。さらに、シャッタ等の駆動時にはカメラ本体側からＦＰＣを経て比較的大きな駆動電流を供給する必要があるが、ＦＰＣの幅寸法および厚さ寸法の関係でＦＰＣの電路抵抗を充分に低減させることができないことから、この駆動電流の供給時にＦＰＣでの電圧降下が大きくなるという問題もあった。
【００１０】
従って、本願発明の目的は、繰り出し位置と収納位置との間で伸縮可能の撮影レンズ鏡筒とカメラ本体との間の電力供給のためのＦＰＣを廃止し得るカメラを提供することにある。
【００１１】
さらに本発明の他の目的は、前記撮影レンズ鏡筒とカメラ本体との間の全てのＦＰＣを廃止し得るカメラを提供することにある。
【００１２】
【課題を解決するための手段】
本願発明は、カメラ本体に設けられる電気回路の電源とは別に、撮影レンズ鏡筒側の電気回路に充電可能な２次電池を設け、この２次電池の電力により撮影レンズ鏡筒側の電気回路を駆動すると共に、この２次電池をカメラ本体の前記電源で充電可能とし、これにより、少なくとも電力供給のためのＦＰＣを廃止するという基本構想に立脚する。
【００１３】
ために、請求項１に記載の発明は、電源を有し該電源により動作する第１の電気回路が設けられたカメラ本体と、２次電池を有し該２次電池により動作する第２の電気回路が設けられ、前記カメラ本体への収納位置と該カメラ本体からの繰り出し位置との間で伸縮可能の撮影レンズ鏡胴とを備えるカメラであって、前記第２の電気回路には、前記２次電池を充電するための、前記撮影レンズ鏡胴の伸縮に応じて変位する受電端子が設けられ、前記第１の電気回路には、前記撮影レンズ鏡胴が前記収納位置にあるとき前記カメラ本体の前記電源の電力で前記２次電池を充電可能とすべく前記受電端子に接触する給電端子が設けられていることを特徴とする。
【００１４】
請求項２に記載の発明は、請求項１に記載の発明において、前記第１の電気回路にはカメラ本体制御部が設けられ、前記第２の電気回路には、前記撮影レンズ鏡胴に設けられた動作部の動作を制御する第２の制御部が設けられ、また前記第１および第２の電気回路のそれぞれには、前記カメラ本体制御部から前記第２の制御部を介して前記動作部を操作するための制御信号を通信する無線通信部が設けられていることを特徴とする。
【００１５】
請求項３に記載の発明は、請求項２に記載の発明において、前記撮影レンズ鏡筒には前記動作部としてシャッタが組み込まれ、前記第２の電気回路には前記シャッタを動作させるためのシャッタ駆動部が設けられ、前記カメラ本体制御部からのシャッタ制御信号が前記無線通信部を経て前記第２の制御部に伝えられると、該第２の制御部が前記シャッタ駆動部を介して前記シャッタを動作させることを特徴とする。
【００１６】
請求項４に記載の発明は、請求項２または３に記載の発明において、前記両無線通信部は相互の交信が可能であり、前記第２の電気回路には、該第２の電気回路に設けられた前記２次電池の電圧を検出するバッテリチェック回路部が設けられ、該バッテリチェック回路部により検出される電圧が所定の値以下になったとき、前記第２の電気回路から前記無線通信部を経て前記カメラ本体制御部に警告信号が伝えられることを特徴とする。
【００１７】
請求項５に記載の発明は、請求項４に記載の発明において、前記カメラ本体制御部が前記警告信号を受けると、前記２次電池の充電のために前記撮影レンズ鏡胴が収納位置に収納されることを特徴とする。
【００１８】
請求項６に記載の発明は、請求項３に記載の発明において、前記第１の電気回路に関連して撮影の開始を指示する制御信号を出力するためのレリーズ手段が設けられており、該レリーズ手段が操作されたとき前記カメラ本体制御部から前記シャッタ制御信号が出力され、前記第２の制御部は、前記無線通信部を経て前記シャッタ制御信号を受けたとき、予め設定されたシーケンスに従って前記シャッタを動作させることを特徴とする。
【００１９】
請求項７に記載の発明は、請求項６に記載の発明において、前記第２の電気回路には前記動作部として測光回路部が設けられ、前記カメラ本体制御部は、撮影開始を指示する前記制御信号の出力後測光の開始を指示する測光開始制御信号を出力し、前記第２の制御部が前記通信部を経て前記測光開始制御信号を受けると、前記測光回路部は被写体輝度の測定を開始することを特徴とする。
【００２０】
請求項８に記載の発明は、請求項２ないし７のいずれか一項に記載の発明において、前記両無線通信部が光を媒体とする光通信で前記制御信号を通信することを特徴とする。
【００２１】
請求項９に記載の発明は、請求項２ないし７のいずれか一項に記載の発明において、前記両無線通信部は、電波を媒体とする電波通信で前記制御信号を通信することを特徴とする。
【００２２】
請求項１に記載の発明では、撮影レンズ鏡筒に設けられた第２の電気回路は、該電気回路に設けられた２次電池が所定の電圧を保持している限り、カメラ本体に設けられた第１の電気回路からの電力の供給を受けることなく２次電池からの電力により動作可能である。また、この２次電池の電圧が所定の値より低下したとき撮影レンズ鏡筒を収納位置に繰り込むことにより、前記給電端子および受電端子を経て２次電池を充電することができる。
【００２３】
従って、必要に応じて、この２次電池をカメラ本体側の前記電源の電力で充電することにより、両電気回路を従来のような電力供給のためのＦＰＣで接続することなく、撮影レンズ鏡筒側の第２の電気回路をその２次電池の電力により作動させることができる。その結果、電力供給のための従来のＦＰＣを廃止することが可能になる。
【００２４】
請求項２に記載の発明では、カメラ本体側の第１の電気回路に設けられたカメラ本体制御部から撮影レンズ鏡筒側の第２の電気回路に設けられた第２の制御部への操作制御信号は両電気回路に設けられた無線通信部を経て撮影レンズ鏡筒側の第２の電気回路に伝えられる。そのため、両電気回路をカメラ本体側から撮影レンズ鏡筒側への制御信号伝達のためのＦＰＣを用いることなく、撮影レンズ鏡胴側に設けられた動作部の操作をカメラ本体側から操作することができる。その結果、カメラ本体側から撮影レンズ鏡筒側への制御信号伝達のためのＦＰＣを廃止することが可能になる。
【００２５】
請求項３に記載の発明では、撮影レンズ鏡胴に組み込まれたシャッタを駆動するためのシャッタ駆動部の制御信号は、通信によりカメラ本体側から撮影レンズ鏡筒側へ送られることから、制御信号伝達のためのＦＰＣを用いることなく、撮影レンズ鏡胴に組み込まれたシャッタの動作を制御することができる。
【００２６】
請求項４に記載の発明では、第２の電気回路に設けられたバッテリチェック回路部が前記２次電池の電圧不足を検出したとき、従来のような制御信号用ＦＰＣを用いることなく、撮影レンズ鏡筒側の第２の電気回路から前記両無線通信部を経てカメラ本体側の第１の電気回路のカメラ本体制御部に警告信号が送られる。この警告信号により、撮影動作を中止させることができ、これにより２次電池の電圧不足下での不適切な撮影を防止することができる。
【００２７】
請求項５に記載の発明では、カメラ本体制御部は、第２の電気回路からの警告信号を受けたとき、撮影レンズ鏡胴を収納位置に収納し、これにより、第２の電気回路に設けられた２次電池は第１の電気回路の電源から充電を受ける。この２次電池の充電により、電圧不足が解消されので、充電後に再び良好な撮影を行うことができる。
【００２８】
請求項６に記載の発明では、レリーズ手段が操作されたとき、シャッタ駆動部の制御信号は、通信によりカメラ本体側から撮影レンズ鏡筒側へ送られることから、従来のような制御信号用ＦＰＣを用いることなく、シャッタを予め設定されたシーケンスに従って動作させることができる。
【００２９】
請求項７に記載の発明では、レリーズ手段の操作により、通信により、撮影開始を指示するシャッタ制御信号の出力後、測光開始制御信号を第２の制御部に伝えることができるので、従来のような制御信号用ＦＰＣを用いることなく、レリーズ操作により撮影レンズ側に設けられた測光回路部を自動的に動作させることができる。この撮影レンズ側に設けられた測光回路部は、カメラ本体側に設けられる場合に比較して、測光範囲と撮影レンズとのパララックス（視差）を小さくするので、有利である。
【００３０】
請求項８および９に記載の発明では、無線通信の媒体として、光あるいは電波を用いることができ、これにより制御信号用ＦＰＣを用いることなくカメラ本体側および撮影レンズ鏡筒側の両電気回路間の制御信号の通信を確実に行うことができる。
【００３１】
【発明の実施の形態】
以下、本発明を図示の実施の形態に沿って詳細に説明する。
【００３２】
〈実施の形態１〉
図１は、本発明に係るカメラの実施の形態１を模式的に示す。本発明に係るカメラ１０は、図１に示すように、その基本構成として、カメラ本体１１と、該カメラ本体から繰り出し位置と収納位置との間で伸縮可能の撮影レンズ鏡筒１２とを備える。
【００３３】
カメラ本体１１には、該本体内に設けられる回路基板１３と、カメラ１０の使用者によって操作可能の例えばレリーズ釦からなるレリーズ手段１４と、モニタ用液晶表示装置（ＬＣＤ）１５とが設けられている。
【００３４】
撮影レンズ鏡筒１２は、例えばカメラ本体１１に固定される固定筒１６と、該固定筒１６内を光軸方向に沿って摺動自在の可動筒１７とを備える。可動筒１７には、図示しないが従来よく知られたフォーカシング系およびズーミング系の複数のレンズ群が設けられている。また、可動筒１７には、該可動筒に支持されこれと光軸方向へ一体的に移動する回路基板１８およびレンズシャッタ１９が組み込まれている。
【００３５】
カメラ本体１１に設けられたレリーズ手段１４には、図示の例では、レリーズ釦の半押し状態を検出するレリーズスイッチＲＬＳＷ１と、レリーズ釦の全押し状態を検出するレリーズスイッチＲＬＳＷ２とが組み込まれている。また、カメラ本体１１の回路基板１３には、該基板上の電気回路として、該電気回路の各動作回路の電源として機能する例えばボタン電池のような電源２０と、カメラ１０の全体的な制御をなすマイクロコンピュータ回路からなるシステム制御部２１と、モニタ駆動回路２２と、レンズ駆動部２３と、通信部２４とが設けられている。
【００３６】
モニタ駆動回路２２は、従来よく知られているように、第１の制御部であるシステム制御部２１の制御下で、ＬＣＤ１５を動作させる。このモニタ駆動回路２２の動作により、撮影レンズ鏡筒１２を通して得られた撮影画像をＬＣＤ１５で見ることができる。レンズ駆動部２３は、従来におけると同様に、システム制御部２１の制御下で、可動筒１７を光軸方向へ移動させる。このレンズ駆動部２３の動作により、撮影レンズ鏡筒１２は、図１に示す繰り出し位置と、図２に示す収納位置との間で伸縮可能である。また、通信部２４は、システム制御部２１の制御下で後述する撮影レンズ鏡筒１２側の通信部２８と双方向の無線通信が可能である。
【００３７】
撮影レンズ鏡筒１２の回路基板１８には、該基板上の電気回路として、該電気回路の各動作部の電源として機能する２次電池２５と、回路基板１８上の各動作部の制御をなすマイクロコンピュータ回路からなるシステム制御部２６と、撮影レンズ鏡筒１２の可動部であるレンズシャッタ１９のためのシャッタ駆動部２７と、通信部２８とが設けられている。シャッタ駆動部２７は、システム制御部２６の制御下で、レンズシャッタ１９を動作させる。また、通信部２８は、システム制御部２６の制御下で、前記したようにカメラ本体１１の通信部２４と双方向の無線通信が可能である。
【００３８】
両通信部２４および２８の通信媒体として光を用いることができる。この場合、各通信部２４、２８は、図示しないが従来よく知られた光信号を出力する発光素子および受光素子の組み合わせを有する光通信手段で構成される。また、両通信部２４および２８の通信媒体として電波を用いることができる。電波を通信媒体として用いる場合、電波信号を出力する発信回路および電波信号を受信する受信回路の組み合わせを有する電波通信手段で構成される。
【００３９】
両通信部２４および２８は、それぞれのシステム制御部２１および２６の制御下で、双方向通信による交信が可能であり、例えばレリーズ手段１４の操作によりカメラ本体制御部である第１の制御部、すなわちシステム制御部２１から撮影開始を指示するシャッタ制御信号が出力されると、このシャッタ制御信号はカメラ本体１１側の通信部２４から撮影レンズ鏡筒１２側の通信部２８に無線で伝えられる。第２の制御部であるシステム制御部２６が通信部２８を経てシャッタ制御信号を受けると、この第２の制御部２６はシャッタ駆動部２７を作動させることにより、レンズシャッタ１９を予め設定されたシーケンスに沿って動作させる。
【００４０】
カメラ本体１１の回路基板１３および撮影レンズ鏡筒１２の回路基板１８は、共に撮影レンズ鏡筒１２の撮影光路からずれた位置に設けられており、これらが収納位置と繰り出し位置との間での撮影レンズ鏡筒１２の光軸に沿った変位を妨げることはなく、また撮影の障害になることはない。
【００４１】
撮影レンズ鏡筒１２に設けられた回路基板１８は、撮影レンズ鏡筒１２の可動部である可動筒１７と光軸方向へ一体的に移動可能であり、これにより回路基板１８はカメラ本体１１側の回路基板１３と相近づく方向および相離れる方向へ光軸に沿って移動可能である。この両回路基板１３および１８の対向する位置にそれぞれぞれ一対の端子ａ、ａおよびｂ、ｂが設けられている。撮影レンズ鏡筒１２側の回路基板１８の、回路基板１３に対向する縁部には、一対の受電端子ａ、ａが設けられている。一対の受給端子ａ、ａは、これへの電圧の印加によって２次電池２５の充電を可能とすべく該２次電池に接続されている。
【００４２】
また、カメラ本体１１側の回路基板１３の、回路基板１８に対向する縁部には、一対の給電端子ｂ、ｂが設けられている。一対の給電端子ｂ、ｂは、電源２０に接続されている。一対の給電端子ｂ、ｂは、図２に示すように、撮影レンズ鏡筒１２が収納位置にあるとき、一対の受電端子ａ、ａに接触する。この接触による両端子ａ、ａおよびｂ、ｂの電気的な接続により、カメラ本体１１側の電源２０の電力で撮影レンズ鏡筒１２側の２次電池２５を充電することができる。撮影レンズ鏡筒１２が図１に示した繰り出し位置へ向けて移動されると、両端子ａ、ａおよびｂ、ｂは、相互に間隔をおくことにより、電気的な接続が絶たれる。
【００４３】
一対の受電端子ａ、ａは、回路基板１８上に設けることに代えて、可動部である可動筒１７におけるカメラ本体１１側の端部に設けることができる。また必要に応じて、一対の給電端子ｂ、ｂを一対の受電端子ａ、ａに対向させるべくカメラ本体１１側の回路基板１３以外の部分に設けることができる。
【００４４】
本発明に係るカメラ１０の動作を図３および図４のフローチャートに沿って説明する。
【００４５】
図３は、カメラ本体１１側の動作を示すフローチャートであり、撮影レンズ鏡筒１２が収納位置にある状態でカメラ本体１１の図示しない起動スイッチがオン操作されると、両端子ａ、ａおよびｂ、ｂを介して相互に接続されたカメラ本体１１および撮影レンズ鏡筒１２の各電気回路は起動される。これにより、カメラ本体１１が撮影待機ステップＳ１に入り、引き続くステップＳ２で、第１の制御部２１は、レリーズ手段１４の操作によりレリーズスイッチＳＷ１がオンしたか否かを判定する。
【００４６】
ステップＳ２で、レリーズスイッチＳＷ１がオン（レリーズ釦の半押し）状態であると判定されると、システム制御部２１は、従来よく知られているように、測光動作およびオートフォーカス動作（測距動作）で代表される撮影準備作業に移行する（ステップＳ３）。ステップＳ３に続き、第１の制御部であるシステム制御部２１は、両通信部２４、２８を経て、撮影準備作業に移行することを指示する「撮影準備信号」を第２の制御部２６に送信する（ステップＳ４）。
【００４７】
第１の制御部２１は、撮影準備信号の送信後、第２の制御部２６からこの撮影準備完了を意味する「準備完了信号」の返信を待つ（ステップＳ５）。第２の制御部２６から、両通信部２４、２８を経て、「受信完了信号」を受けると、システム制御部２１は、レリーズ手段１４の操作によりレリーズスイッチＳＷ２がオンしているか否かを判定する（ステップＳ６）。ステップＳ６で、システム制御部２１は、レリーズスイッチＳＷ２がオン（レリーズ釦の全押し）状態であると判定すると、撮影動作作業に入る（ステップＳ７）。これにより、カメラ本体１１では、撮影のためのフォーカス動作等が開始される。また、ステップＳ７に引き続き、第１の制御部であるシステム制御部２１は、両通信部２４、２８を経て、撮影開始を指示するシャッタ制御信号である「撮影開始信号」を第２の制御部２６に送信する（ステップＳ８）。
【００４８】
第２の制御部２６は、「撮影開始信号」を受信すると、予め設定されたシーケンスに沿って露光動作を開始する。この露光動作に必要なカメラ本体１１側で求められた測光情報は、必要に応じて「撮影開始信号」の一部として、この「撮影開始信号」に含ませることができ、この場合、第２の制御部２６は「撮影開始信号」の受信と共に露光動作に必要な情報を受信する。
【００４９】
第１の制御部２１は、両通信部２４、２８を経て、第２の制御部２６からの「シャッタトリガ信号」を受信すると（ステップＳ９）、必要に応じてカメラ本体１１に設けられた図示しないストロボを発光させる。
【００５０】
その後、第１の制御部２１は、両通信部２４、２８を経て、第２の制御部２６から「撮影完了信号」を受信すると（ステップＳ１０）、ステップＳ１１で撮影後の動作を行う。この撮影後の動作では、例えばフィルム送りおよび撮影データの記憶等が必要に応じて行われ、この撮影後の動作により、カメラ本体１１側の撮影動作が完了する。
【００５１】
ステップＳ６で、レリーズスイッチＳＷ２がオン（レリーズ釦の全押し）状態でないと判定されると、第１の制御部２１は、レリーズスイッチＳＷ１がオン（レリーズ釦の半押し）状態であるか否かを再び判定する（ステップＳ１２）。
【００５２】
この再判定ステップＳ１２で、レリーズスイッチＳＷ１がオフ状態にあると判定されると、ステップＳ６およびステップＳ１２の反復により、レリーズスイッチＳＷ２がオン状態になるのを待ち続ける。他方、ステップＳ１２で、レリーズスイッチＳＷ１がオフ状態にあると判定されると、リセット作業に移行する（ステップＳ１３）。このステップＳ１３のリセット作業により、ステップＳ３で行われた撮影準備作業が解除される。これにより、カメラ本体１１は、ステップＳ１で示される元の準備状態に戻される。また、ステップＳ１３のリセット作業後、第１の制御部２１は、両通信部２４、２８を経て、第２の制御部２６に「撮影リセット信号」を送信する。
【００５３】
図４は、撮影レンズ鏡筒１２側の動作を示すフローチャートである。カメラ本体１１の前記起動スイッチのオン操作により、撮影レンズ鏡筒１２の電気回路すなわち回路基板１８上の各電気回路が撮影待機ステップＳ２１に入る。この撮影待機中に、ステップＳ４での第１の制御部２１からの「撮影準備信号」を両通信部２４、２８を経て第２の制御部２６が受信すると（ステップＳ２２）、第２の制御部２６はカメラ本体１１におけると同様な撮影準備作業に移行する（ステップＳ２３）。第２の制御部２６は、これが設けられた撮影レンズ鏡筒１２側での撮影準備作業が完了すると、両通信部２４、２８を経て「撮影完了信号」をカメラ本体１１側の第１の制御部２１に返す。
【００５４】
第２の制御部２６は、その後、ステップＳ８での第１の制御部２１からの「撮影開始信号」を待つ（ステップＳ２５）。第２の制御部２６は、ステップＳ２５で「撮影開始信号」を受信すると、撮影動作作業に移行する（ステップＳ２６）。この撮影動作作業では、第２の制御部２６は、シャッタ駆動部２７を動作させ、このシャッタ駆動部２７の動作の制御を介してレンズシャッタ１９を動作させる。
【００５５】
レンズシャッタ１９が動作すると、該レンズシャッタから「シャッタトリガ信号」が出力される。この「シャッタトリガ信号」は、第２の制御部２６の制御下で両通信部２４、２８を経て、第１の制御部２１に送信される（ステップＳ２７）。「シャッタトリガ信号」の送信後、第２の制御部２６は、「撮影完了信号」を第１の制御部２１に両通信部２４、２８を経て送信し（ステップＳ２８）、これにより撮影レンズ鏡筒１２側の撮影動作が完了する。
【００５６】
ステップＳ２５で「撮影開始信号」が受信されないと、第２の制御部２６はステップＳ１４での「撮影リセット信号」が受信されているか否かを判定する（ステップＳ２９）。「撮影リセット信号」が受信されていないと判定されると、第２の制御部２６はステップＳ２５に戻り、ステップＳ２５およびステップＳ２９を繰り返すことにより、「撮影開始信号」あるいは「撮影リセット信号」を待つ。
【００５７】
ステップＳ２９で第２の制御部２６が「撮影開始信号」を受信すると、第２の制御部２６はリセット作業に移行する（ステップＳ３０）。このステップＳ３０でのリセット作業により、ステップＳ２３で行なわれた撮影レンズ鏡筒１２側での撮影準備作業が解除され、撮影レンズ鏡筒１２側は、ステップＳ２１で示される元の準備状態に戻される。
【００５８】
本発明に係るカメラ１０の前記した各動作で、カメラ本体１１側の回路基板１３に基板に設けられた各回路部分は、この回路基板１３に設けられた電源２０からの電力により動作する。また、撮影レンズ鏡筒１２側の回路基板１８に設けられた各回路部分は、この回路基板１８に設けられた２次電池２５の電力により動作する。
【００５９】
従って、撮影レンズ鏡筒１２側の動作部である例えばレンズシャッタ１９のためのシャッタ駆動部２７を２次電池２５で動作させることができることから、両回路基板１３および１８間に設けられる従来のような電力用ＦＰＣを用いることなく、前記動作部を作動させることができる。
【００６０】
また、２次電池２５に蓄えられた電力が前記動作部（シャッタ駆動部２７）に供給されることから、電力用ＦＰＣを用いた従来の電力供給におけるような電圧降下を引き起こすことなく、必要充分な電力を前記動作部に供給することができる。
【００６１】
この２次電池２５は、撮影レンズ鏡筒１２の収納位置で両端子ａ、ａおよびｂ、ｂが接続可能であることから、必要に応じて撮影レンズ鏡筒１２を収納位置に収納することにより、カメラ本体１１側の電源２０で充電することができる。
【００６２】
２次電池２５に充分な電力が蓄えられ、この２次電池２５に所定の電圧が維持できているとき、収納位置での不要な充電を避けるために、例えば第１の制御部２１の動作により、両端子ａ、ａおよびｂ、ｂの接続に拘わらず、充電を阻止させることができる。
【００６３】
さらに、カメラ１０では、カメラ本体１１および撮影レンズ鏡筒１２に設けられた回路基板１３および回路基板１８の両制御部２１および２６は、それぞれの基板１３、１８に設けられた無線通信部２４および２８を経て相互に交信可能であることから、従来のような制御用ＦＰＣを用いることなく、カメラ本体１１のレリーズ手段１４の操作に応じて撮影レンズ鏡筒１２側のレンズシャッタ１９を所定のシーケンスに沿って動作させることができる。
【００６４】
従って、本発明に係るカメラ１０によれば、電力用ＦＰＣに起因する前記した従来の電気的な問題を解決することができることに加えて、電力用ＦＰＣおよび制御用ＦＰＣに起因する前記した従来のＦＰＣの折り曲げ腰部を延ばす際の鏡胴駆動負荷の増大およびそのばらつき、フレアおよび「けられ」等の光学的な問題をも解決することができる。
【００６５】
〈実施の形態２〉
図５は、本発明に係るカメラの実施の形態２をその撮影レンズ鏡筒が収納位置にある状態で示す。
【００６６】
図５に示すカメラ１１０には、基本的に、図１および図２に示したカメラ１０の各構成部分が設けられていることに加えて、さらに測光回路部４０が設けられている。図５に示すカメラ１１０の構成部分のうち、カメラ１０と同様の機能を果たす構成部分には、図１および図２に示された各構成部分に付したと同一の参照符号が付されている。
【００６７】
実施の形態２のカメラ１１０では、撮影レンズ鏡筒１２側の動作部として、回路基板１８に測光回路部４０が組み込まれている。この測光回路部４０は、第２の制御部２６が両通信部２４および２８を経て第１の制御部２１からの測光開始制御信号を受信すると、第２の制御部２６下で撮影レンズ鏡筒１２の前記レンズ群を通して得られる被写体輝度を測定する。
【００６８】
図６および図７は、実施の形態２のカメラ１１０におけるカメラ本体１１側および撮影レンズ鏡筒１２側の各フローチャートを示す。図６および図７に示す各ステップのうち、図３および図４に示すステップと同一ステップについては同一の参照ステップ符号が付されている。以下、実施の形態１と異なるステップについて説明する。
【００６９】
図６は、カメラ１１０のカメラ本体１１側のフローチャートを示す。カメラ１１０では、第１の制御部２１は、ステップＳ４で「撮影準備信号」を第２の制御部２６に送信する。この「撮影準備信号」には測光動作の指示内容が含まれている。また、ステップＳ５で第２の制御部２６からの撮影準備完了を意味する「準備完了信号」の返信を待つが、この「準備完了信号」には後述する測光結果（被写体輝度情報）が含まれている。第１の制御部２１はこの測光結果を含む「準備完了信号」をステップＳ５で受信すると、第１の制御部２１は、ステップＳ１１１で、受信した被写体輝度情報と、レンズの明るさ情報と、フィルム感度情報とから露光時間を算出する。露光時間の算出後、ステップＳ６に移行し、レリーズスイッチＳＷ２のオン・オフ判定を行う。ステップＳ１１１で求められた露光時間は、前記したように、ステップＳ８での「撮影開始信号」に含めて第１の制御部２１に送信される。
【００７０】
図７は、カメラ１１０の撮影レンズ鏡筒１２のフローチャートを示す。第２の制御部２６は、ステップＳ２２で第１の制御部２１から「撮影準備信号」を受信すると、ステップＳ２１１に示す撮影準備動作に移行する。この「撮影準備信号」には測光動作の指示内容が含まれていることから、第２の制御部２６は測光回路部４０を動作させる。第２の制御部２６は、測光回路部４０の動作により得られた測光結果である被写体輝度情報を含む「準備完了信号」を、両通信部２４、２８を経て、第１の制御部２１に送信する（ステップＳ２１２）。
【００７１】
実施の形態２に示したカメラ１１０によれば、実施の形態１で得られる技術的効果に加えて、測光回路部４０が撮影レンズ鏡筒１２側の回路基板１８に組み込まれていることから、撮影レンズ鏡筒１２に設けられた前記レンズ群と、測光回路部４０との視差を抑制することができ、良好な測光範囲を得ることができる。
【００７２】
また、測光回路部４０の制御のためのＦＰＣを用いることなく該測光回路部を撮影レンズ鏡筒１２側に配置することができるので、測光回路部を撮影レンズ鏡筒１２側およびカメラ本体１１側のいずれの側にも配置可能となることから、測光回路部の設計自由度が高まる。
【００７３】
〈実施の形態３〉
図８は、本発明に係るカメラの実施の形態３をその撮影レンズ鏡筒が収納位置にある状態で示す。
【００７４】
図８に示すカメラ１２０には、基本的に、図１および図２に示したカメラ１０の各構成部分が設けられていることに加えて、さらに２次電池２５の電圧を検出するバッテリチェック回路部５０が設けられている。図８に示すカメラ１２０の構成部分のうち、カメラ１０と同様の機能を果たす構成部分には、図１および図２に示された各構成部分に付したと同一の参照符号が付されている。
【００７５】
実施の形態３のカメラ１２０では、撮影レンズ鏡筒１２側の動作部として、回路基板１８にバッテリチェック回路部５０が組み込まれている。このバッテリチェック回路部５０は２次電池２５の電圧を検出する。第２の制御部２６は、バッテリチェック回路部５０が検出した２次電池２５の電圧が所定の値以下になると、両無線通信部２４および２８を経て第１の制御部２１に警告信号を送信する。
【００７６】
第１の制御部２１は、第２の制御部２６からの警告信号を受けると、レンズ駆動部２３を作動させ、撮影レンズ鏡筒１２を図８に示す収納位置に保持する。この収納位置では、両端子ａ、ａおよびｂ、ｂの接触により、電源２０の電力で２次電池２５が充電される。
【００７７】
図９および図１０は、実施の形態３のカメラ１２０におけるカメラ本体１１側および撮影レンズ鏡筒１２側の各フローチャートを示す。図９および図１０に示す各ステップのうち、図３および図４に示すステップと同一ステップについては同一の参照ステップ符号が付されている。以下、実施の形態１と異なるステップについて説明する。
【００７８】
図９は、カメラ１２０のカメラ本体１１側のフローチャートを示す。カメラ１２０では、第１の制御部２１は、ステップＳ４で「撮影準備信号」を第２の制御部２６に送信する。この「撮影準備信号」にはバッテリチェック回路部５０の動作の指示内容が含まれている。また、ステップＳ５で第２の制御部２６からの撮影準備完了を意味する「準備完了信号」の返信を待つが、この「準備完了信号」にはバッテリチェック回路部５０の測定結果に応じた測定情報（警告信号）が含まれている。第１の制御部２１は、この測定情報を含む「準備完了信号」をステップＳ５で受信すると、受信信号に２次電池２５の充電不足を意味する警告信号が含まれているか否かを判定する（ステップＳ１２１）。警告信号が含まれていないと、実施の形態１で示したカメラ１０におけると同様に、カメラ本体１１側での手順は、撮影の実行のために、ステップＳ６以下に順次移行する。
【００７９】
他方、第１の制御部２１は、ステップＳ１２１で、受信した信号に２次電池２５の充電不足を意味する警告信号が含まれていると判定すると、ステップＳ１２２で、ステップＳ１３におけると同様なリセット作業に移行する。このステップＳ１２２でのリセット作業により、カメラ本体１１は、ステップＳ１で示される元の準備状態に戻される。また、ステップＳ１２２のリセット作業後、第１の制御部２１は、両通信部２４、２８を経て、第２の制御部２６に「撮影リセット信号」を送信する（ステップＳ１２３）。さらに、第１の制御部２１は、モニタ駆動回路２２を経てＬＣＤ１５に、２次電池２５の充電不足を意味するバッテリー残量あるいは警告を表示させる（ステップＳ１２４）。第１の制御部２１は、続くステップＳ１２５で、レリーズスイッチＳＷ１がオン状態であるか否かを判定する。レリーズスイッチＳＷ１がオフ状態であると、第１の制御部２１は鏡胴収納作業に移行する（ステップＳ１２６）。この鏡胴収納作業で、第１の制御部２１はレンズ駆動部２３を作動させて撮影レンズ鏡筒１２をその収納位置に変位させる。撮影レンズ鏡筒１２の収納位置では、前記したとおり両端子ａ、ａおよびｂ、ｂが接続状態に保持されることから、この端子ａ、ａおよびｂ、ｂを経て電源２０の電力で２次電池２５が充電される（ステップＳ１２７）。
【００８０】
図１０は、カメラ１２０の撮影レンズ鏡筒１２のフローチャートを示す。第２の制御部２６は、ステップＳ２２で第１の制御部２１から「撮影準備信号」を受信すると、ステップＳ２２１に示す撮影準備動作に移行する。この「撮影準備信号」には前記したとおりバッテリチェック回路部５０の動作の指示内容が含まれていることから、第２の制御部２６はバッテリチェック回路部５０を動作させる。第２の制御部２６は、バッテリチェック回路部５０の動作により得られた測定結果が所定の値以下であると、測光結果である警告信号を含む「準備完了信号」を、両通信部２４、２８を経て、第１の制御部２１に送信する（ステップＳ２１２）。
【００８１】
実施の形態３に示したカメラ１２０では、実施の形態１で得られる技術的効果に加えて、バッテリチェック回路部５０が第２の制御部２６の制御下で２次電池２５の電圧を検出するように動作し、２次電池２５の電圧が所定の値以下になると、第１の制御部２１下のレンズ駆動部２３の動作により、撮影レンズ鏡筒１２が自動的に収納位置に向けて収縮動作し、２次電池２５の充電が開始される。
【００８２】
従って、カメラ１２０によれば、実施の形態１で得られる技術的効果に加えて、２次電池２５が自動的に充電されることから、この２次電池２５の電圧低下によってもたらされる誤動作を防止することができる。
【００８３】
前記したところでは、撮影レンズ鏡筒１２の可動筒１７あるいは該可動筒と一体的に移動する回路基板１８に撮影レンズ鏡筒１２側の受電端子ａ、ａを設けた例について説明したが、これに限らず、撮影レンズ鏡筒の構成部分のうち、撮影レンズ鏡筒の繰り出し位置と収納位置との間の伸縮で、この伸縮に伴って光軸方向へ移動する種々の可動部分に撮影レンズ鏡筒側の受電端子ａ、ａを配置することができ、また、この受電端子ａ、ａに対応するカメラ本体１１側部分に受電端子ａ、ａに接触可能の給電端子ｂ、ｂを配置することができる。
【００８４】
【発明の効果】
請求項１に記載の発明によれば、撮影レンズ鏡胴側に設けられた２次電池の電力により撮影レンズ鏡筒側の電気回路を動作させ、この２次電池をカメラ本体側の電源の電力で充電可能とすることにより、電力供給のための従来のＦＰＣを廃止することができるので、この電力供給のためのＦＰＣに起因する電圧降下問題、フレア問題あるいは「けられ」の問題等を解決することができる。
【００８５】
請求項２に記載の発明によれば、電力供給のためのＦＰＣに加えて、さらに、カメラ本体側から撮影レンズ鏡筒側への制御信号伝達のためのＦＰＣが排除可能となるので、電力供給のためのＦＰＣおよびカメラ本体側から撮影レンズ鏡筒側への制御信号用ＦＰＣに起因する種々の問題の解決を図ることができる。
【００８６】
請求項３に記載の発明によれば、撮影レンズ鏡胴に組み込まれたシャッタの動作を通信による制御信号で制御することができるので、シャッタ制御信号用ＦＰＣを廃止することができる。
【００８７】
請求項４に記載の発明によれば、撮影レンズ鏡筒側の第２の電気回路とカメラ本体側の第１の電気回路とを両無線通信部を経て相互に交信可能とし、第２の電気回路に設けられたバッテリチェック回路部により、２次電池の電圧不足を検出することにより警告信号をカメラ本体に出力することができるので、カメラの使用者に２次電池の電圧不足を警告することができ、この２次電池の電圧不足下での不適切な撮影を防止することができる。
【００８８】
また、両電気回路間で双方向通信である交信を可能とすることにより、電力供給のためのＦＰＣに加えて、撮影レンズ鏡筒側とカメラ本体側との間の全ての制御用ＦＰＣを廃止することができるので、ＦＰＣに起因する全ての問題の解決を図ることが可能となる。
【００８９】
請求項５に記載の発明によれば、２次電池に電圧不足が生じたとき、撮影レンズ鏡胴が収納位置に収納されることにより、２次電池が自動的に充電を受けるので、この２次電池の電圧不足を自動的に解消することができ、また、この電圧不足による誤動作を防止することができる。
【００９０】
請求項６に記載の発明によれば、従来のような制御信号用ＦＰＣを用いることなく、シャッタを予め設定されたシーケンスに従って動作させることができる。
【００９１】
請求項７に記載の発明によれば、レリーズ手段の操作により、測光開始制御信号の通信を介して撮影レンズ側に設けられた測光回路部を自動的に動作させることができるので、測光範囲と撮影レンズとのパララックスを小さくしかつ従来のような測光開始制御信号用ＦＰＣ等のＦＰＣを廃止することができる。
【００９２】
請求項８および９に記載の発明によれば、無線通信として光通信あるいは電波通信を用いることにより、制御信号用ＦＰＣを用いることなくカメラ本体側および撮影レンズ鏡筒側の両電気回路間の制御信号の通信を確実に行うことができる。
【図面の簡単な説明】
【図１】本発明に係るカメラの実施の形態１の構成をそのレンズ鏡筒が繰り出し位置にある状態で模式的に示す概略図である。
【図２】実施の形態１をそのレンズ鏡筒が収納位置にある状態で模式的に示す図１と同様な図面である。
【図３】第１実施例のカメラ本体側の電気回路の動作手順を示すフローチャートである。
【図４】第１実施例のレンズ鏡筒側の電気回路の動作手順を示すフローチャートである。
【図５】本発明に係るカメラの実施の形態２の構成をそのレンズ鏡筒が収納位置にある状態で模式的に示す概略図である。
【図６】実施の形態２のカメラ本体側の電気回路の動作手順を示すフローチャートである。
【図７】実施の形態２のレンズ鏡筒側の電気回路の動作手順を示すフローチャートである。
【図８】本発明に係るカメラの実施の形態３の構成をそのレンズ鏡筒が収納位置にある状態で模式的に示す概略図である。
【図９】実施の形態３のカメラ本体側の電気回路の動作手順を示すフローチャートである。
【図１０】実施の形態３のレンズ鏡筒側の電気回路の動作手順を示すフローチャートである。
【符号の説明】
１０、１１０、１２０　カメラ
１１　カメラ本体
１２　撮影レンズ鏡筒
１３、１８　回路基板
２０　電源
２５　２次電池
ａ、ａ　受電端子
ｂ、ｂ　給電端子
【図１】
2004133000.tif 000003
【図２】
2004133000.tif 000004
【図３】
2004133000.tif 000005
【図４】
2004133000.tif 000006
【図５】
2004133000.tif 000007
【図６】
2004133000.tif 000008
【図７】
2004133000.tif 000009
【図８】
2004133000.tif 000010
【図９】
2004133000.tif 000011
【図１０】
2004133000.tif 000012